(57)【要約】【課題】接着剤を対象物の縁部に塗布する場合は、接着剤が対象物からはみ出さないよう塗布することができ、接着剤を対象物の縁部以外に塗布する場合には、それを阻害しないアタッチメント及び接着剤用容器を提供する。【解決手段】接着剤用容に取り付けられ、板状部材１１ａを有し、接着剤用容器の長手方向において、板状部材１１ａが、接着剤塗布面から突出しない第一の位置と、接着剤塗布面から突出する第二の位置との間をスライド可能に構成されるゲージ部１１と、板状部材１１ａの面が接着剤用容器の側面の接線方向に配されるようゲージ部１１と接着剤用容器とを連結する両面テープ１２とを備える。【選択図】図１
2020142496.tif 000002
【特許請求の範囲】
【請求項１】
略柱状で一方の端部に接着剤を塗布する接着剤塗布面を有する接着剤用容器に取り付けられるアタッチメントであって、
板状部材を有し、前記接着剤用容器の長手方向において、前記板状部材が、前記接着剤塗布面から突出しない第一の位置と、前記接着剤塗布面から突出する第二の位置との間をスライド可能に構成されるゲージ部と、
前記板状部材の面が前記接着剤用容器の側面の接線方向に配されるようゲージ部と前記接着剤用容器とを連結する連結部と、
を備えるアタッチメント。
【請求項２】
請求項１に記載のアタッチメントであって、
前記ゲージ部が、
前記接着剤用容器の側面の法線方向に突出するツメ部と、
前記ツメ部と嵌合し、前記ツメ部と嵌合した際に前記板状部材が第一の位置に配されるよう設けられる第一穴部と、
前記ツメ部と嵌合し、前記ツメ部と嵌合した際に前記板状部材が第二の位置に配されるよう設けられる第二穴部と、
を有するアタッチメント。
【請求項３】
請求項２に記載のアタッチメントであって、
前記ツメ部が、前記接着剤用容器の側面の法線方向に押下可能であるアタッチメント。
【請求項４】
請求項２又は請求項３に記載のアタッチメントであって、
前記ゲージ部が、前記板状部材を、第二穴部から第一穴部に向かって付勢する付勢部材を有するアタッチメント。
【請求項５】
請求項１〜４のいずれか一に記載のアタッチメントであって、
前記ゲージ部と前記連結部とが、前記接着剤用容器を内包可能な略直方体形状を形成するアタッチメント。
【請求項６】
請求項１〜５のいずれか一に記載のアタッチメントであって、
前記ツメ部がプラスティック樹脂からなるアタッチメント。
【請求項７】
略柱状で接着剤を貯蔵する貯蔵部と、
前記貯蔵部の一方の端部に配され、接着剤を塗布する接着剤塗布面と、
板状部材を有し、前記板状部材の面が前記貯蔵部の側面の接線方向に配され、前記貯蔵部の長手方向において、前記板状部材が、前記接着剤塗布面から突出しない第一の位置と、前記接着剤塗布面から突出する第二の位置との間をスライド可能に構成されるゲージ部と、を備える接着剤用容器。
【請求項８】
請求項７に記載の接着剤用容器であって、
前記接着剤が略柱状で固形の接着剤であり、
前記貯蔵部の周方向の、一方に回転操作されることで前記接着剤が前記接着剤塗布面の方向にスライドし、他方に回転操作されることで前記接着剤が前記貯蔵部の他方の端部方向にスライドする操作部を有する接着剤用容器。
【請求項９】
請求項７又は請求項８に記載の接着剤用容器であって、
前記ゲージ部が、
前記貯蔵部の側面の法線方向に突出するツメ部と、
前記ツメ部と嵌合し、前記ツメ部と嵌合した際に前記板状部材が第一の位置に配されるよう設けられる第一穴部と、
前記ツメ部と嵌合し、前記ツメ部と嵌合した際に前記板状部材が第二の位置に配されるよう設けられる第二穴部と、
を有する接着剤用容器。
【請求項１０】
請求項９に記載の接着剤用容器であって、
前記ツメ部が、前記貯蔵部の側面の法線方向に押下可能である接着剤用容器。
【請求項１１】
請求項９又は請求項１０に記載の接着剤用容器であって、
前記ゲージ部が、前記板状部材を、第二穴部から第一穴部に向かって付勢する付勢部材を有する接着剤用容器。
【請求項１２】
請求項７〜１１のいずれか一に記載の接着剤用容器であって、
外形が略直方体形状であることを特徴とする接着剤用容器。
【請求項１３】
請求項７〜１２のいずれか一に記載の接着剤用容器であって、
前記ツメ部がプラスティック樹脂からなる接着剤用容器。
【発明の詳細な説明】
【技術分野】
【０００１】  接着剤を対象物からはみ出さずに塗布するためのアタッチメント及び接着剤用容器に関する。
【背景技術】
【０００２】  接着剤を対象物に塗布する際、接着剤が対象物からはみ出すと、はみ出した接着剤が無駄になるだけでなく、作業台等、予定外の物に接着剤が付き、汚れてしまう虞がある。しかしながら、接着剤を対象物の縁部に塗布する場合、接着剤が対象物からはみ出さないようにするのは一定の困難性がある。【０００３】  このような問題に対して、例えば、特許文献１には、スティック糊の筒にスライドキャップが取り付けられ、糊受けキャップと糊本体の間に対象物を配置するはみ出し防止スティック糊の技術が開示されている。この構成によれば、糊を対象物の隅々まで塗り残しなく、また、はみ出ることなく糊を塗布することができる。また、特許文献２には、のりが下の物に付着するのを防止する用具として、液体のりの本体に装着するアタッチメントの技術が開示されている。この構成によれば、ツメの部分を、のりを塗布する対象物の端に引っかけることで、のりが対象物の下の物に付着することを防ぐことができる。
【先行技術文献】
【特許文献】
【０００４】
【特許文献１】実願２００２−８４３１
【特許文献２】特開平９−１３６４９９
【発明の概要】
【発明が解決しようとする課題】
【０００５】  しかしながら、前述の技術のようなアタッチメントは、対象物の縁部以外に接着剤を塗布する際には、邪魔になるため、アタッチメントを取り外すか、アタッチメントが取り付けられていない他の接着剤を用いる必要があった。【０００６】  本発明は、このような事情に鑑みてなされたものであり、その主な目的は、接着剤を対象物の縁部に塗布する場合は、接着剤が対象物からはみ出さないよう塗布することができ、接着剤を対象物の縁部以外に塗布する場合には、それを阻害しないアタッチメント及び接着剤用容器を提供することにある。
【課題を解決するための手段及び発明の効果】
【０００７】  本発明の第１の側面に係るアタッチメントは、略柱状で一方の端部に接着剤を塗布する接着剤塗布面を有する接着剤用容器に取り付けられるアタッチメントであって、板状部材を有し、前記接着剤用容器の長手方向において、前記板状部材が、前記接着剤塗布面から突出しない第一の位置と、前記接着剤塗布面から突出する第二の位置との間をスライド可能に構成されるゲージ部と、前記板状部材の面が前記接着剤用容器の側面の接線方向に配されるようゲージ部と前記接着剤用容器とを連結する連結部と、を備えることを特徴としている。前記構成により、接着剤を、接着剤を塗布する対象物の縁部に塗布する際は、板状部材を第一の位置にスライドし、対象物の端部に沿わせることで、対象物からはみ出すことなく接着剤を塗布することができる。また、板状部材を使用しない際には、第二の位置にスライドすることで、コンパクトな状態にすることができる。
【０００８】  本発明の第２の側面に係るアタッチメントは、前記ゲージ部が、前記接着剤用容器の側面の法線方向に突出するツメ部と、前記ツメ部と嵌合し、前記ツメ部と嵌合した際に前記板状部材が第一の位置に配されるよう設けられる第一穴部と、前記ツメ部と嵌合し、前記ツメ部と嵌合した際に前記板状部材が第二の位置に配されるよう設けられる第二穴部と、を有することを特徴としている。前記構成により、板状部材を第１及び第２の位置でそれぞれ固定でき使用状態に応じた態様に維持することができる。
【０００９】  本発明の第３の側面に係るアタッチメントは、前記ツメ部が、前記接着剤用容器の側面の法線方向に押下可能であることを特徴としている。前記構成により、ツメ部が第一穴部又は第二穴部と嵌合した状態において、ツメ部を押下することで、ツメ部が第一穴部又は第二穴部との嵌合状態を容易に解消することができる。
【００１０】  本発明の第４の側面に係るアタッチメントは、前記ゲージ部が、前記板状部材を、第二穴部から第一穴部に向かって付勢する付勢部材を有することを特徴としている。前記構成により、板状部材は、ツメ部が第二穴部と嵌合している状態を除き、ツメ部が第一穴部と嵌合するように付勢され、自動的にコンパクトな状態となる。すなわち、使用者は、ツメ部と第二穴部との嵌合を解消することで、容易に、アタッチメントコンパクトな状態にすることができる。
【００１１】  本発明の第５の側面に係るアタッチメントは、前記ゲージ部と前記連結部とが、前記接着剤用容器を内包可能な略直方体形状を形成することを特徴としている。前記構成により、例えば、コピー用紙等の矩形状の紙の縁部に接着剤を塗布する際に、略直方体形状の外形を目安にすることで、容易に、接着剤を塗布する対象物の端部に板状部材を平行に沿わせることができる。また、取り付けられた接着剤用容器を含め、アタッチメントが作業台から転がり落ちることを防止できる。
【００１２】  本発明の第６の側面に係るアタッチメントは、前記ツメ部がプラスティック樹脂からなることを特徴としている。前記構成により、ツメ部は、プラスティック樹脂を原料とすることにより弾性を有し、第一穴部又は第二穴部と嵌合との嵌合、また、嵌合状態の解消を容易にできる。
【００１３】  本発明の第７の側面に係る接着剤用容器は、略柱状で接着剤を貯蔵する貯蔵部と、前記貯蔵部の一方の端部に配され、接着剤を塗布する接着剤塗布面と、板状部材を有し、前記板状部材の面が前記貯蔵部の側面の接線方向に配され、前記貯蔵部の長手方向において、前記板状部材が、前記接着剤塗布面から突出しない第一の位置と、前記接着剤塗布面から突出する第二の位置との間をスライド可能に構成されるゲージ部と、を備えることを特徴としている。前記構成により、接着剤を塗布する際は、板状部材を第一の位置にスライドし、接着剤を塗布する対象物の端部に沿わせることで、対象物からはみ出すことなく接着剤を塗布することができる。また、板状部材を使用しない際には、第二の位置にスライドすることで、コンパクトな状態にすることができる。
【００１４】  本発明の第８の側面に係る接着剤用容器は、前記接着剤が略柱状で固形の接着剤であり、前記貯蔵部の周方向の、一方に回転操作されることで前記接着剤が前記接着剤塗布面の方向にスライドし、他方に回転操作されることで前記接着剤が前記貯蔵部の他方の端部方向にスライドする操作部を有することを特徴としている。前記構成により、操作部を回転操作することで、固形の接着剤を貯蔵部から出し入れできる。
【００１５】  本発明の第９の側面に係る接着剤用容器は、前記ゲージ部が、前記貯蔵部の側面の法線方向に突出するツメ部と、前記ツメ部と嵌合し、前記ツメ部と嵌合した際に前記板状部材が第一の位置に配されるよう設けられる第一穴部と、前記ツメ部と嵌合し、前記ツメ部と嵌合した際に前記板状部材が第二の位置に配されるよう設けられる第二穴部と、を有することを特徴としている。前記構成により、板状部材を第１及び第２の位置でそれぞれ固定でき使用状態に応じた態様に維持することができる。
【００１６】  本発明の第１０の側面に係る接着剤用容器は、前記ツメ部が、前記貯蔵部の側面の法線方向に押下可能であることを特徴としている。前記構成により、ツメ部が第一穴部又は第二穴部と嵌合した状態において、ツメ部を押下することで、ツメ部が第一穴部又は第二穴部との嵌合状態を容易に解消することができる。
【００１７】  本発明の第１１の側面に係る接着剤用容器は、前記ゲージ部が、前記板状部材を、第二穴部から第一穴部に向かって付勢する付勢部材を有することを特徴としている。前記構成により、板状部材は、ツメ部が第二穴部と嵌合している状態を除き、ツメ部が第一穴部と嵌合するように付勢され、自動的にコンパクトな状態となる。すなわち、使用者は、ツメ部と第二穴部との嵌合を解消することで、容易に、アタッチメントコンパクトな状態にすることができる。
【００１８】  本発明の第１２の側面に係る接着剤用容器は、外形が略直方体形状であることを特徴としている。前記構成により、例えば、コピー用紙等の矩形状の紙の縁部に接着剤を塗布する際に、略直方体形状の外形を目安にすることで、容易に、接着剤を塗布する対象物の端部に板状部材を平行に沿わせることができる。また、接着剤用容器が作業台から転がり落ちること防止できる。
【００１９】  本発明の第１３の側面に係る接着剤用容器は、前記ツメ部がプラスティック樹脂からなることを特徴としている。前記構成により、ツメ部は、プラスティック樹脂を原料とすることにより弾性を有し、第一穴部又は第二穴部と嵌合との嵌合、また、嵌合状態の解消を容易にできる。
【図面の簡単な説明】
【００２０】
【図１】第一実施例に係るアタッチメントの構成図である。
【図２】第一実施例に係るアタッチメントをスティックのりに取り付けた状態の説明図である。
【図３】板状部材が第一の位置に固定されている状態の説明図である。
【図４】板状部材が第二の位置に固定されている状態の説明図である。
【図５】第一実施例に係るアタッチメントを取り付けたスティックのりを用いて対象物の縁部に接着剤を塗布する方法の説明図である。
【図６】ゲージ部の構成図である。
【図７】第一実施例に係るアタッチメントを取り付けたスティックのりを用いて接着剤を塗布する方法を示すフローチャートである。
【図８】第二実施例に係る接着剤用容器の構成図である。
【発明を実施するための形態】
【００２１】  以下、本発明を適用した具体的な実施の形態について、図面を参照にしながら詳細に説明する。
（第一実施例：アタッチメント１）
【００２２】  本発明を適用した第一実施例に係るアタッチメント１の構成図を図１に、アタッチメント１をスティックのりＧＳに取り付けた状態を示す図を図２に示す。
【００２３】  図１に示すアタッチメント１は、主として、ゲージ部１１と両面テープ１２（特許請求の範囲における「連結部」の一例に対応する。）とで構成され、接着剤用容器に取り付けて使用される。アタッチメント１は、図３に示すように、上端から突出する板状部材１１ａを押下することで、板状部材１１ａがスライドし、図４に示すように、下端から板状部材１１ａが突出した状態（第二の位置）になる。この板状部材１１ａを、図５に示すように、接着剤を塗布する対象物（以下、対象物と称す。）の端部に沿わせることで、対象物の縁部に、端部と平行に接着剤を塗布することができる。
【００２４】  以下では、アタッチメント１を略直方体形状のスティックのりＧＳに取り付ける場合を例に説明を行う。なお、接着剤用容器はスティックのりＧＳの容器に限定されるものではなく、アタッチメント１が連結可能な容器であればよい。
（ゲージ部１１）
【００２５】  ゲージ部１１は、図６に示すように、板状部材１１ａ、ツメ部１１ｂ、第一穴部１１ｃ、第二穴部１１ｄ及びばね１１ｅ（特許請求の範囲における「付勢部材」の一例に対応する。）で構成される。以下で、各部材について説明する。
（板状部材１１ａ）
【００２６】  板状部材１１ａは、対象物の端部に沿わせるための部材であり、図３に示される第一の位置と、図４に示される第二の位置との間をスライド可能に構成される。
【００２７】  図５に示すように、接着剤を対象物の縁部に塗布する際は、板状部材１１ａを第一の位置にスライドし、対象物の端部に沿わせることで、対象物からはみ出すことなく接着剤を塗布することができる。
（ツメ部１１ｂ）
【００２８】  ツメ部１１ｂは、板状部材１１ａのスライドに合わせて移動し、第一穴部１１ｃ及び第二穴部１１ｄと嵌合可能に設けられる部材であって、図３に示すように、第一穴部１１ｃと嵌合することで板状部材１１ａを第一の位置に、図４に示すように、第二穴部１１ｄと嵌合することで板状部材１１ａを第二の位置に固定、維持することができる。また、ツメ部１１ｂは、図６に示すようにカエシを備え、プラスティック樹脂を原料とし、弾性を有する。
【００２９】  これにより、板状部材１１ａが第一の位置に固定されている際に、上端から突出する板状部材１１ａを押下すると、ツメ部１１ｂはゲージ部１１の内部方向（図６における右方向）に変形して第一穴部１１ｃとの嵌合状態が解消される。さらに板状部材１１ａを押下するとツメ部１１ｂは第二穴部１１ｄと嵌合し、板状部材１１ａは第二の位置に固定される。
【００３０】  一方、板状部材１１ａが第二の位置に固定されている際に、ツメ部１１ｂをゲージ部１１の内部方向（図６における右方向）に押下すると、ツメ部１１ｂは第二穴部１１ｄとの嵌合状態が解消され、板状部材１１ａは、ばね１１ｅに第二穴部１１ｄから第一穴部１１ｃに向かって付勢され、スライドする。最終的に、ツメ部１１ｂは第一穴部１１ｃと嵌合し、板状部材１１ａは第一の位置に固定される。
【００３１】  以上の通り、板状部材１１ａを第１及び第２の位置でそれぞれ固定でき使用状態に応じた態様に維持することができる。
（第一穴部１１ｃ及び第二穴部１１ｄ）
【００３２】  第一穴部１１ｃ及び第二穴部１１ｄは、ツメ部１１ｂと嵌合可能にゲージ部１１の側面に設けられた穴である。
【００３３】  なお、第二穴部１１ｄの個数は１つに限定されない。第二穴部１１ｄを複数設けることで、接着剤を塗布する対象物の厚さに合わせて板状部材１１ａが突出する長さを調整することができる。
（ばね１１ｅ）
【００３４】  ばね１１ｅは、板状部材１１ａを第二穴部１１ｄから第一穴部１１ｃに向かって付勢する。これにより、使用者は、ツメ部１１ｂと第二穴部１１ｄとの嵌合状態を解消すれば、板状部材１１ａは自動的に第二の位置から第一の位置にスライド移動し、コンパクトな状態となる。
【００３５】  なお、以上の説明は、特許請求の範囲における付勢部材を押しばねの態様で行ったが、付勢部材はこの態様に限定されるものではなく、引きばねや板ばね、さらには、ばね以外の板状部材１１ａを第二穴部１１ｄから第一穴部１１ｃに向かって付勢する部材であってもよい。
（両面テープ１２）
【００３６】  両面テープ１２は、図１に示すように、アタッチメント１の側面に設けられ、接着剤用容器にアタッチメント１を取り付けるために用いられる。
【００３７】  なお、特許請求の範囲における「連結部」の態様は、両面テープ１２に限定されない。例えば、接着剤用容器とアタッチメント１の側面にシート状の磁石を取り付けたものであってもよいし、機械的な連結方法（例えば、ねじを用いた方法）であってもよい。すなわち、アタッチメント１を取り付ける接着剤用容器に合わせて適宜変更することができる。
（接着剤の塗布方法）
【００３８】  本発明を適用した第一実施例に係るアタッチメント１を取り付けたスティックのりを用いて接着剤を塗布する方法について、図７のフローチャートに基づいて説明する。
【００３９】  まず、ステップＳＴ１０１でスティックのりＧＳにアタッチメント１を取り付ける。なお、既に、アタッチメント１を取り付けたスティックのりＧＳがあればそれを用いればよい。
【００４０】  次に、ステップＳＴ１０２でスティックのりＧＳを接着剤が塗布できる状態にし（キャップを外したり、固形接着剤を突出させる操作を行ったり等、使用するスティックのりＧＳに合わせて適宜操作する。）、ステップＳＴ１０３で接着剤を塗布する箇所を選択する。
【００４１】  接着剤を対象物の縁部に塗布する場合は、ステップＳＴ１０４に進み、板状部材１１ａを第二の位置にスライドする。次に、ステップＳＴ１０５で板状部材１１ａを対象物の端部に沿わせた状態で、接着剤を対象物に塗布する。次いで、ステップＳＴ１０６で板状部材１１ａを第一の位置にスライドする。
【００４２】  一方、接着剤を対象物の縁部以外に塗布する場合は、ステップＳＴ１０７に進み、対象物の所望の箇所に接着剤を塗布する。
【００４３】  最後に、ＳＴ１０８でスティックのりＧＳを保管する状態にして接着剤の塗布を終了する。
【００４４】  すなわち、アタッチメント１は、接着剤を対象物の縁部に塗布する場合は、板状部材１１ａを第二の位置にスライドし、スティックのりＧＳの先端から突出した板状部材１１ａを用いることで、接着剤が対象物からはみ出さないよう塗布することができる。一方、接着剤を対象物の縁部以外に塗布する場合には、板状部材１１ａを第一の位置にスライドし、コンパクトな状態にできるので、アタッチメント１が邪魔になることがない。
（第二実施例：接着剤用容器２）
【００４５】  接着剤用容器２は、図８に示すように、主として、貯蔵部２１とゲージ部２２とで構成される。
【００４６】  貯蔵部２１は、略柱状の固体の接着剤を格納するための筒状のスペースである。
【００４７】  また、ゲージ部２２は、ゲージ部１１と同じ構成である（説明は省略する。）。すなわち、接着剤用容器２はアタッチメント１と同様に、接着剤を対象物の縁部に塗布する場合は、接着剤が対象物からはみ出さないよう塗布することができ、接着剤を対象物の縁部以外に塗布する場合には、使用の邪魔にならないようコンパクトな状態にすることができる。
【００４８】  以上説明したように、本発明を適用したアタッチメント１及び接着剤用容器２は、接着剤を対象物の縁部に塗布する場合は、接着剤が対象物からはみ出さないよう塗布することができることに加え、接着剤を対象物の縁部以外に塗布する場合には、使用の邪魔にならないようコンパクトな状態にすることができる。
【００４９】  すなわち、本発明を適用したアタッチメント１及び接着剤用容器２は、従来技術のように、対象物の縁部以外に接着剤を塗布する際に、アタッチメントを取り外すか、アタッチメントが取り付けられていない他の接着剤を用いる必要がないので、接着剤を塗布する箇所によらず好適に使用することができる。
【００５０】  なお、本発明は前述した実施の形態のみに限定されるものではなく、本発明の要旨を逸脱しない範囲において種々の変更が可能であることは勿論である。
【符号の説明】
【００５１】１…アタッチメント
１１…ゲージ部
１１ａ…板状部材；１１ｂ…ツメ部；１１ｃ…第一穴部；１１ｄ…第二穴部；１１ｅ…ばね
１２…両面テープ
２…接着剤用容器
２１…貯蔵部
２２…ゲージ部
ＧＳ…スティックのり
【図１】
2020142496.tif 000003
【図２】
2020142496.tif 000004
【図３】
2020142496.tif 000005
【図４】
2020142496.tif 000006
【図５】
2020142496.tif 000007
【図６】
2020142496.tif 000008
【図７】
2020142496.tif 000009
【図８】
2020142496.tif 000010
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
略柱状で一方の端部に接着剤を塗布する接着剤塗布面を有する接着剤用容器に取り付けられるアタッチメントであって、
板状部材を有し、前記接着剤用容器の長手方向において、前記板状部材が、前記接着剤塗布面から突出しない第一の位置と、前記接着剤塗布面から突出する第二の位置との間をスライド可能に構成されるゲージ部と、
前記板状部材の面が前記接着剤用容器の側面の接線方向に配されるようゲージ部と前記接着剤用容器とを連結する連結部と、
を備え、
前記ゲージ部が、
前記接着剤用容器の側面の法線方向に突出するツメ部と、
前記ツメ部と嵌合し、前記ツメ部と嵌合した際に前記板状部材が第一の位置に配されるよう設けられる第一穴部と、
前記ツメ部と嵌合し、前記ツメ部と嵌合した際に前記板状部材が第二の位置に配されるよう設けられる第二穴部と、
を有するアタッチメント。
【請求項２】
請求項１に記載のアタッチメントであって、
前記ツメ部が、前記接着剤用容器の側面の法線方向に押下可能であるアタッチメント。
【請求項３】
請求項１又は請求項２に記載のアタッチメントであって、
前記ゲージ部が、前記板状部材を、第二穴部から第一穴部に向かって付勢する付勢部材を有するアタッチメント。
【請求項４】
請求項１〜３のいずれか一に記載のアタッチメントであって、
前記ツメ部がプラスティック樹脂からなるアタッチメント。
【請求項５】
略柱状で接着剤を貯蔵する貯蔵部と、
前記貯蔵部の一方の端部に配され、接着剤を塗布する接着剤塗布面と、
板状部材を有し、前記板状部材の面が前記貯蔵部の側面の接線方向に配され、前記貯蔵部の長手方向において、前記板状部材が、前記接着剤塗布面から突出しない第一の位置と、前記接着剤塗布面から突出する第二の位置との間をスライド可能に構成されるゲージ部と、
を備え、
前記接着剤が略柱状で固形の接着剤であり、
前記貯蔵部の周方向の、一方に回転操作されることで前記接着剤が前記接着剤塗布面の方向にスライドし、他方に回転操作されることで前記接着剤が前記貯蔵部の他方の端部方向にスライドする操作部を有し、
前記ゲージ部が、
前記貯蔵部の側面の法線方向に突出するツメ部と、
前記ツメ部と嵌合し、前記ツメ部と嵌合した際に前記板状部材が第一の位置に配されるよう設けられる第一穴部と、
前記ツメ部と嵌合し、前記ツメ部と嵌合した際に前記板状部材が第二の位置に配されるよう設けられる第二穴部と、
を有する接着剤用容器。
【請求項６】
請求項５に記載の接着剤用容器であって、
前記ツメ部が、前記貯蔵部の側面の法線方向に押下可能である接着剤用容器。
【請求項７】
請求項５又は請求項６に記載の接着剤用容器であって、
前記ゲージ部が、前記板状部材を、第二穴部から第一穴部に向かって付勢する付勢部材を有する接着剤用容器。
【請求項８】
請求項５〜７のいずれか一に記載の接着剤用容器であって、
前記ツメ部がプラスティック樹脂からなる接着剤用容器。